(57)【特許請求の範囲】
【請求項１】
空気の吹き出し口を備えた吹き出し口部と、
該吹き出し口部へ空気を送給可能に空気の吸い込み口部を有した駆動送風部と、を備え、
前記吸い込み口部で吸い込んだ内部空気を、前記吹き出し口部の前記吹き出し口から吹き出し、前記吹き出し口の周囲の外部空気を補助空気として、巻き込みつつ、前記内部空気と前記補助空気との混合空気を送給する構成のファンレス扇風機であって、
前記吹き出し口部が、前記駆動送風部との連結部から延びる柱状体のハウジングを備え、
該ハウジングの軸直交方向の断面として、
前記ハウジングの背面側に設けられて、前記補助空気となる前記外部空気の流入用開口と、前記ハウジングの正面側に設けられて、前記補助空気となる前記外部空気の流出用開口と、を有し、かつ、前記流出用開口側に漸次狭まる形状とした連通路を具備し、
前記流出用開口の両側に、前記吹き出し口を設けて構成され、
前記流入用開口及び前記流出用開口とを有した前記連通路と、前記吹き出し口とが、前記連結部から、前記ハウジングの軸方向に沿って、前記ハウジングの先端の天井壁部付近まで、延設して配設され、さらに、
前記ハウジングの軸直交方向の断面として、
前記連通路の内周側の両側壁が、前記流入用開口側から前記流出用開口側にかけて相互に接近する傾斜壁部と、前記流出用開口側の端部で相互に平行となる平行壁部と、を備えて構成され、
前記連通路の両側の前記吹き出し口部の部位が、それぞれ、
前記ハウジングの外周側を構成する外周壁部の内周側における前記外周壁部と前記連通路の両側壁との間に、前記吸い込み口部からの前記内部空気を貯留させる貯留室を設け、
前記平行壁部と隙間を空け、かつ、前記平行壁部と平行として前記ハウジングの外周側の前記外周壁部から内側に延びる内側壁部を設け、
前記平行壁部と前記内側壁部との間に、前記吹き出し口を設ける構成としていることを特徴とするファンレス扇風機。
【請求項２】
前記流出用開口における対向する前記平行壁部間の開口幅寸法が、４〜１２ｍｍの範囲内に設定されていることを特徴とする請求項１に記載のファンレス扇風機。
【請求項３】
前記内側壁部が、前記ハウジングの内側へ突出する先端部を、前記連通路の側壁における前記平行壁部と前記傾斜壁部との交差部より、前記ハウジングの軸心側に接近して配設させ、
対向する前記平行壁部が、それぞれ、前記傾斜壁部から離れる先端部を、前記内側壁部における前記ハウジングの外周側の元部より、前記ハウジングの軸心側に接近して配設させていることを特徴とする請求項１若しくは請求項２に記載のファンレス扇風機。
【発明の詳細な説明】
【技術分野】
【０００１】
本発明は、空気を送給する回転羽根を外表面側に露出させずに構成されるファンレス扇風機に関する。
【背景技術】
【０００２】
従来、ファンレス扇風機としては、空気の吹き出し口を備えた吹き出し口部と、吹き出し口部へ空気を送給可能に空気の吸い込み口部を有した駆動送風部と、を備えて構成されていた（例えば、特許文献１，２参照）。そして、吸い込み口部で吸い込んだ内部空気を、吹き出し口部の上下方向に延びた直線状の吹き出し口から吹き出したり、あるいは、吹き出し口部の円環状の吹き出し口から吹き出して、吹き出し口の周囲の外部空気を補助空気として、巻き込みつつ、内部空気と補助空気との混合空気を送給する構成としていた。
【先行技術文献】
【特許文献】
【０００３】
【特許文献１】特開２０１３−１４２３３１号公報
【特許文献２】特開２０１０−１３８９０６号公報
【発明の概要】
【発明が解決しようとする課題】
【０００４】
しかし、特許文献１のファンレス扇風機では、上下方向に延びた一本のスリット状の吹き出し口から内部空気を吹き出し、吹き出し口の左右両側の外部空気を補助空気として巻き込んで、前方側に送給する構成であり、巻き込む外部空気の周囲が、開放された大きな空間となっていることから、補助空気を流速を高めて巻き込み難く、流量や流速を増加させて空気を送給する点に改善の余地があった。
【０００５】
同様に、特許文献２のファンレス扇風機でも、リング状の吹き出し口の中央側が、巻き込む外部空気の領域となるが、大きく開口され、さらに、吹き出し口が、正面側に向いているものの、背面側に配置されていることから、中央側の大きなスペースと相俟って、流速を高めて外部空気を巻き込む点に、改善の余地があった。
【０００６】
本発明は、上述の課題を解決するものであり、簡便に構成しても、流速と流量とを高めて空気を送給することができるファンレス扇風機を提供することを目的とする。
【課題を解決するための手段】
【０００７】
本発明に係るファンレス扇風機は、空気の吹き出し口を備えた吹き出し口部と、
該吹き出し口部へ空気を送給可能に空気の吸い込み口部を有した駆動送風部と、を備え、
前記吸い込み口部で吸い込んだ内部空気を、前記吹き出し口部の前記吹き出し口から吹き出し、前記吹き出し口の周囲の外部空気を補助空気として、巻き込みつつ、前記内部空気と前記補助空気との混合空気を送給する構成のファンレス扇風機であって、
前記吹き出し口部が、前記駆動送風部との連結部から延びる柱状体のハウジングを備え、
該ハウジングの軸直交方向の断面として、
前記ハウジングの背面側に設けられて、前記補助空気となる前記外部空気の流入用開口と、前記ハウジングの正面側に設けられて、前記補助空気となる前記外部空気の流出用開口と、を有し、かつ、前記流出用開口側に漸次狭まる形状とした連通路を具備し、
前記流出用開口の両側に、前記吹き出し口を設けて構成され、
前記流入用開口及び前記流出用開口とを有した前記連通路と、前記吹き出し口とが、前記連結部から、前記ハウジングの軸方向に沿って、前記ハウジングの先端の天井壁部付近まで、延設して配設され、さらに、
前記ハウジングの軸直交方向の断面として、
前記連通路の内周側の両側壁が、前記流入用開口側から前記流出用開口側にかけて相互に接近する傾斜壁部と、前記流出用開口側の端部で相互に平行となる平行壁部と、を備えて構成され、
前記連通路の両側の前記吹き出し口部の部位が、それぞれ、
前記ハウジングの外周側を構成する外周壁部の内周側における前記外周壁部と前記連通路の両側壁との間に、前記吸い込み口部からの前記内部空気を貯留させる貯留室を設け、
前記平行壁部と隙間を空け、かつ、前記平行壁部と平行として前記ハウジングの外周側の前記外周壁部から内側に延びる内側壁部を設け、
前記平行壁部と前記内側壁部との間に、前記吹き出し口を設ける構成としていることを特徴とする。
【０００８】
本発明に係るファンレス扇風機では、駆動送風部が作動して、吸い込み口部から吸い込まれた内部空気が、吹き出し口部に送給されて吹き出し口から吹き出される。そして、吹き出し口が、流出用開口の両側に開口されていることから、連通路の流入用開口側から外部空気を巻き込みつつ、内部空気と外部空気からなる補助空気とが混合された混合空気を、前方側に送給させることとなる。
【０００９】
その際、外部空気を巻き込む連通路が、流入用開口から流出用開口にかけて漸次狭まる形状としていることから、巻き込む外部空気が、流速を増して流出用開口から吹き出され、その結果、さらに巻き込む外部空気の量も多くなり、内部空気と外部空気からなる補助空気との混合空気全体の流速と流量とを増大させて、混合空気が前方側に送給されることとなる。
【００１０】
そして、このような作用効果は、外部空気を巻き込む連通路における流入用開口から流出用開口にかけての形状を、単に、テーパ状に構成し、その流出用開口の両側に吹き出し口を配置させるだけよく、簡便な構成で達成することができる。
【００１１】
したがって、本発明に係るファンレス扇風機は、簡便に構成しても、流速と流量とを高めて空気を送給することができる。
【００１２】
そして、本発明に係るファンレス扇風機は、前記ハウジングの軸直交方向の断面として、
前記連通路の内周側の両側壁が、前記流入用開口側から前記流出用開口側にかけて相互に接近する傾斜壁部と、前記流出用開口側の端部で相互に平行となる平行壁部と、を備えて構成され、
前記連通路の両側の前記吹き出し口部の部位が、それぞれ、
前記ハウジングの外周側を構成する外周壁の内周側における前記外周壁と前記連通路の両側壁との間に、前記吸い込み口部からの前記内部空気を貯留させる貯留室を設け、
前記平行壁部と隙間を空け、かつ、前記平行壁部と平行として前記ハウジングの外周側の前記外周壁から内側に延びる内側壁部を設け、
前記平行壁部と前記内側壁部との間に、前記吹き出し口を設ける構成としている。
【００１３】
このような構成では、流出用開口側の相互に平行な平行壁部や内側壁部により、内部空気と外部空気を巻き込んでなる補助空気とが、平行に流れ易い分、相互に交差しつつ前方側に流れることを抑制できることから、流速の低下を抑制して、混合空気を前方側に送給することができる。
【００１４】
さらに、本発明に係るファンレス扇風機では、前記流出用開口における対向する前記平行壁部間の開口幅寸法が、４〜１２ｍｍの範囲内に設定されていることが望ましい。
【００１５】
このような構成では、流出用開口の開口幅寸法が、４ｍｍ未満と狭くないことから、混合空気の流量を確保し易く、また、１２ｍｍを越えるように大きくないことから、混合空気の流速の低下を抑制することができ、駆動送風部の大型化を招くことなく、簡便に構成できる。
【００１６】
さらに、本発明に係るファンレス扇風機では、前記内側壁部が、前記ハウジングの内側へ突出する先端部を、前記連通路の側壁における前記平行壁部と前記傾斜壁部との交差部より、前記ハウジングの軸心側に接近して配設させ、
対向する前記平行壁部が、それぞれ、前記傾斜壁部から離れる先端部を、前記内側壁部における前記ハウジングの外周側の元部より、前記ハウジングの軸心側に接近して配設させることが望ましい。
【００１７】
このような構成では、平行壁部の先端部が内側壁部よりハウジングの内側に配置されていることから、内部空気による外部空気の巻き込みを円滑に行なうことができる。また、内部空気は、平行壁部より長い長さで前方側に延設される内側壁部により案内されることから、前方へ向かう速度の低減を抑制して、吹き出し口から吹き出され、円滑に、外部空気を前方に向かうように巻き込むことができる。
【図面の簡単な説明】
【００１８】
【図１】本発明に係る一実施形態のファンレス扇風機の斜視図である。
【図２】実施形態のファンレス扇風機の概略横断面図である。
【図３】実施形態のファンレス扇風機の左右方向に沿った概略縦断面図である。
【図４】実施形態のファンレス扇風機の前後方向に沿った概略縦断面図である。
【発明を実施するための形態】
【００１９】
以下、本発明の一実施形態を図面に基づいて説明すると、実施形態のファンレス扇風機１０は、図１〜４に示すように、下部側の略円錐台形状の駆動送風部１１と、駆動送風部１１の上部に配置されて、空気流の吹き出し口３１（３１Ｌ，３１Ｒ）を備えた吹き出し口部２０と、を具備して構成されている。吹き出し口部２０は、略円柱状のハウジング２２を設けて構成されている。
【００２０】
駆動送風部１１は、所定の駆動モータにより回転駆動される駆動ファン１２を配設させて構成され、駆動ファン１２が作動されると、背面側の吸い込み口部１３から周囲の空気Ａを吸い込んで、上部の分岐部１８側に送給する。駆動ファン１２は、所定の商用電源に接続される図示しない電源コードを接続させており、正面側の操作部１６のスイッチ（図符号省略）の操作により、ON・OFFされる。
【００２１】
吸い込み口部１３には、フィルタ１４が配設されている。
【００２２】
分岐部１８は、駆動送風部１１とハウジング２２との間の連結部１７に配設され、三角柱状としている。駆動送風部１１から送給される空気Ａは、内部空気ＡＩとして、分岐部１８で左右両側に分岐されて、吹き出し口部２０側の左右の貯留室３０（３０Ｌ，３０Ｒ）に送給される。
【００２３】
吹き出し口部２０のハウジング２２は、ハウジング２２の軸直交方向の断面として、図２に示すように、連通路３５と、吹き出し口３１Ｌ，３１Ｒに連なる貯留室３０Ｌ，３０Ｒと、を備えて構成される。ハウジング２２は、連通路３５や貯留室３０Ｌ，３０Ｒの配置部位において、ハウジング２２の軸直交方向の断面形状を、左右対称形としている。
【００２４】
連通路３５は、ハウジング２２の背面側に設けられて、補助空気ＡＳとなる外部空気ＡＯの流入用開口３６と、ハウジング２２の正面側に設けられて、補助空気ＡＳとなる外部空気ＡＯの流出用開口３７と、を有し、かつ、流出用開口３７側に漸次狭まる形状としている。すなわち、連通路３５の内周側の両側壁４０（４０Ｌ，４０Ｒ）は、流入用開口３６側から流出用開口３７側にかけて相互に接近する傾斜壁部４１（４１Ｌ，４１Ｒ）を備えている。さらに、両側壁４０Ｌ，４０Ｒは、流出用開口３７側の端部で相互に平行となる平行壁部４２（４２Ｌ，４２Ｒ）を備えて構成されている。
【００２５】
貯留室３０Ｌ，３０Ｒは、吸い込み口部１３からの内部空気ＡＩを貯留する部屋であり、ハウジング２２の外周側を構成する外周壁部２４の内周側における外周壁部２４と連通路３５の両側壁４０Ｌ，４０Ｒとの間に配設されている。すなわち、ハウジング２２の外周壁部２４における略半割り円筒状の左湾曲部２５と側壁４０Ｌとの間、及び、右湾曲部２６と側壁４０Ｒとの間、に、それぞれ、弓形状の貯留室３０Ｌ，３０Ｒが配設されている。
【００２６】
そして、貯留室３０Ｌ，３０Ｒの正面側となる流出用開口３７の両側に、吹き出し口３１Ｌ，３１Ｒが配設されている。
【００２７】
これらの流入用開口３６及び流出用開口３７とを有した連通路３５と、吹き出し口３１Ｌ，３１Ｒとは、貯留室３０Ｌ，３０Ｒとともに、連結部１７から、ハウジング２２の軸方向ＣＤに沿って、ハウジング２２の先端の円板状の天井壁部２３付近まで、延設して配設されている。
【００２８】
そして、各貯留室３０Ｌ，３０Ｒの正面側における流出用開口３７の左右両側の各吹き出し口３１（３１Ｌ，３１Ｒ）は、それぞれ、平行壁部４２Ｌ，４２Ｒと内側壁部２８（２８Ｌ，２８Ｒ）との間に、配設されている。内側壁部２８Ｌ，２８Ｒは、それぞれ、平行壁部４２Ｌ，４２Ｒと隙間ｈ１を空け、かつ、平行壁部４２Ｌ，４２Ｒと平行としてハウジング２２の外周側の左湾曲部２５や右湾曲部２６の正面側の縁から、内側に延びるように配設されている。
【００２９】
さらに、内側壁部２８Ｌ，２８Ｒは、それぞれ、ハウジング２２の内側へ突出する先端部２８ａを、連通路３５の側壁４０Ｌ，４０Ｒにおける平行壁部４２Ｌ，４２Ｒと傾斜壁部４１Ｌ，４１Ｒとの交差部４３より、ハウジング２２の軸心Ｃ側に接近して配設させている。
【００３０】
また、対向する平行壁部４２Ｌ，４２Ｒは、それぞれ、傾斜壁部４１Ｌ，４１Ｒから離れる先端部４２ａを、内側壁部２８Ｌ，２８Ｒにおけるハウジング２２の外周側の元部２８ｂより、ハウジング２２の軸心Ｃ側に接近して配設させている。平行壁部４２の先端部４２ａにおける内側壁部２８の元部２８ｂから軸心Ｃ側への引き込み量Ｐは、１〜４ｍｍの範囲内が望ましく、実施形態の場合、２ｍｍとしている。
【００３１】
なお、流出用開口における対向する平行壁部４２Ｌ，４２Ｒ間の開口幅寸法Ｗは、安定した外部空気ＡＯを巻き込んでなる補助空気ＡＳの流量と流速とを確保するため、４〜１２ｍｍの範囲内が望ましく、実施形態の場合、６ｍｍに設定されている。
【００３２】
また、安定した内部空気ＡＩの流量と流速とを確保するため、内側壁部２８Ｌ，２８Ｒは、平行壁部４２Ｌ，４２Ｒとの間の隙間ｈ１を１〜５ｍｍの範囲内とすることが望ましく、実施形態の場合、２．５ｍｍとし、傾斜壁部４１Ｌ，４１Ｒとの間の隙間ｈ２を１〜４ｍｍの範囲内とすることが望ましく、実施形態の場合、１．５ｍｍとしている。
【００３３】
さらに、傾斜壁部４１Ｌ，４１Ｒの相互の角度θは、安定した外部空気ＡＯの巻き込み（引き込み）を確保するため、３０〜５０°の範囲内が望ましく、実施形態の場合、４０°としている。
【００３４】
さらにまた、実施形態の場合、内側壁部２８Ｌ，２８Ｒの長さ寸法Ｌ１は１０ｍｍ、平行壁部４２Ｌ，４２Ｒの長さ寸法Ｌ２は５ｍｍとしている。
【００３５】
また、実施形態の場合、高さ寸法Ｈ０を８００ｍｍ、ハウジング２２の直径寸法Ｄ０を１００ｍｍとしている。
【００３６】
実施形態のファンレス扇風機１０では、操作部１６の所定のスイッチをONさせれば、駆動送風部１１の駆動ファン１２が作動して、吸い込み口部１３から吸い込まれた内部空気ＡＩが、吹き出し口部２０に送給されて吹き出し口３１Ｌ，３１Ｒから吹き出される。そして、吹き出し口３１Ｌ，３１Ｒが、流出用開口３７の両側に開口されていることから、連通路３５の流入用開口３６側から外部空気ＡＯを巻き込みつつ、内部空気ＡＩと外部空気ＡＯからなる補助空気ＡＳとが混合された混合空気ＡＭを、前方側に送給させることとなる。
【００３７】
その際、外部空気ＡＯを巻き込む連通路３５が、流入用開口３６から流出用開口３７にかけて漸次狭まる形状としていることから、巻き込む外部空気ＡＯが、流速を増して流出用開口３７から吹き出され、その結果、さらに巻き込む外部空気ＡＯの量も多くなり、内部空気ＡＩと外部空気ＡＯからなる補助空気ＡＳとの混合空気ＡＭ全体の流速と流量とを増大させて、混合空気ＡＭが前方側に送給されることとなる。
【００３８】
そして、このような作用効果は、外部空気ＡＯを巻き込む連通路３５における流入用開口３６から流出用開口３７にかけての形状を、単に、テーパ状に構成し、その流出用開口３７の両側に吹き出し口３１Ｌ，３１Ｒを配置させるだけよく、簡便な構成で達成することができる。
【００３９】
したがって、実施形態のファンレス扇風機１０は、簡便に構成しても、流速と流量とを高めて空気を送給することができる。
【００４０】
なお、実施形態のファンレス扇風機１０では、駆動ファン１２の単独使用の空気Ａの流速に比べて、略１６倍の流速で、混合空気ＡＭを送給することができ、また、混合空気ＡＭの到達距離を１．５倍に伸ばすことができた。
【００４１】
そして、実施形態では、ハウジング２２の軸直交方向の断面として、連通路３５の内周側の両側壁４０Ｌ，４０Ｒが、流入用開口３６側から流出用開口３７側にかけて相互に接近する傾斜壁部４１と、流出用開口３７側の端部で相互に平行となる平行壁部４２Ｌ，４２Ｒと、を備えて構成されている。さらに、連通路３５の両側の吹き出し口部２０の部位が、それぞれ、ハウジング２２の内周側における連通路３５の両側壁４０Ｌ，４０Ｒとの間に、吸い込み口部１３からの内部空気ＡＩを貯留させる貯留室３０Ｌ，３０Ｒを設け、平行壁部４２Ｌ，４２Ｒと隙間ｈ１を空け、かつ、平行壁部４２Ｌ，４２Ｒと平行としてハウジング２２の外周側から内側に延びる内側壁部２８Ｌ，２８Ｒを設け、平行壁部４２Ｌ，４２Ｒと内側壁部２８Ｌ，２８Ｒとの間に、吹き出し口３１Ｌ，３１Ｒを設ける構成としている。
【００４２】
そのため、実施形態では、流出用開口３７側の相互に平行な平行壁部４２Ｌ，４２Ｒや内側壁部２８Ｌ，２８Ｒにより、内部空気ＡＩと外部空気ＡＯを巻き込んでなる補助空気ＡＳとが、平行に流れ易い分、相互に交差しつつ前方側に流れることを抑制できることから、流速の低下を抑制して、混合空気ＡＭを前方側に送給することができる。
【００４３】
さらに、実施形態では、流出用開口３７における対向する平行壁部４２Ｌ，４２Ｒ間の開口幅寸法Ｗが、４〜１２ｍｍの範囲内の６ｍｍに設定されている。
【００４４】
そのため、実施形態のファンレス扇風機１０では、流出用開口３７の開口幅寸法Ｗが、４ｍｍ未満と狭くないことから、混合空気ＡＭの流量を確保し易く、また、１２ｍｍを越えるように大きくないことから、混合空気ＡＭの流速の低下を抑制することができ、駆動送風部１１の大型化を招くことなく、簡便に構成できる。
【００４５】
さらに、実施形態では、内側壁部２８Ｌ，２８Ｒが、ハウジング２２の内側へ突出する先端部２８ａを、連通路３５の側壁４０Ｌ，４０Ｒにおける平行壁部４２Ｌ，４２Ｒと傾斜壁部４１Ｌ，４１Ｒとの交差部４３より、ハウジング２２の軸心Ｃ側に接近して配設させている。また、対向する平行壁部４２Ｌ，４２Ｒが、それぞれ、傾斜壁部４１Ｌ，４１Ｒから離れる先端部４２ａを、内側壁部２８Ｌ，２８Ｒにおけるハウジング２２の外周側の元部２８ｂより、ハウジング２２の軸心Ｃ側に接近して配設させている。
【００４６】
そのため、実施形態では、平行壁部４２Ｌ，４２Ｒの先端部４２ａが内側壁部２８Ｌ，２８Ｒよりハウジング２２の内側に配置されていることから、内部空気ＡＩによる外部空気ＡＯの巻き込みを円滑に行なうことができる。また、内部空気ＡＩは、平行壁部４２Ｌ，４２Ｒより長い長さで前方側に延設される内側壁部２８Ｌ，２８Ｒにより案内されることから、前方へ向かう速度の低減を抑制して、吹き出し口３１Ｌ，３１Ｒから吹き出され、円滑に、外部空気ＡＯを前方に向かうように巻き込むことができる。
【００４７】
なお、実施形態では、駆動ファン１２の駆動ONと駆動OFFとの操作を例示したが、ファンの回転速度を調整可能として、風量調整するように構成したり、あるいは、適宜、タイマー機能を設けて、所定時間作動できるように構成してもよい。さらに、吹き出し口３１Ｌ，３１Ｒの向きを変更可能にするように、駆動送風部１１を回動台に設置して、ファンレス扇風機１０に首振り機構を設けてもよい。さらにまた、昇温した内部空気ＡＩを発生させるように、ヒータ線等を利用して電気的にON・OFFできる加熱装置を駆動送風部１１に内蔵させ、本発明のファンレス扇風機を、暖房機としても利用できるように構成してもよい。
【符号の説明】
【００４８】
１０…ファンレス扇風機、１１…駆動送風部、１２…駆動ファン、１３…吸い込み口部、１７…連結部、２０…吹き出し口部、２２…ハウジング、２３…天井壁部、２８（２８Ｌ，２８Ｒ）…内側壁部、２８ａ…先端部、２８ｂ…元部、３０（３０Ｌ，３０Ｒ）…貯留室、３１（３１Ｌ，３１Ｒ）…吹き出し口、３５…連通路、３６…流入用開口、３７…流出用開口、４０（４０Ｌ，４０Ｒ）…側壁、４１（４１Ｌ，４１Ｒ）…傾斜壁部、４２（４２Ｌ，４２Ｒ）…平行壁部、４２ａ…先端部、４３…交差部、
Ｃ…（ハウジング２２の）軸心、ＣＤ…（ハウジング２２の）軸方向、Ｗ…（流出用開口３７の）開口幅寸法、ｈ１…（内側壁部２８と平行壁部４２との）隙間、
Ａ…空気、ＡＩ…内部空気、ＡＯ…外部空気、ＡＳ…補助空気、ＡＭ…混合空気。
【図１】
0005964873.tif 000002
【図２】
0005964873.tif 000003
【図３】
0005964873.tif 000004
【図４】
0005964873.tif 000005